(57)【要約】【課題】洗浄水の噴射により食器等の洗浄を行う食器洗い機において、食器洗い機本体の前方および上方のスペースを塞ぐことなく、また、食器洗い機本体の大きさを大きくすることなく収容できる食器類の大きさを確保し、設置性を向上するとともに、下扉体を操作して扉体を開閉する際の使い勝手を向上する。【解決手段】食器洗い機本体８に洗浄槽９を設け、洗浄槽９に設けた開口部１１を上扉体１２と下扉体１３により開閉する。洗浄槽９の開口部１１の下端側に上扉体１２と下扉体１３とが重なって開放されるよう構成し、扉体の開放時、下扉体１３は上扉体１２に対し前方に突出させる構成とする。【選択図】　図１
2004105272.tif 000002
【特許請求の範囲】
【請求項１】
食器洗い機本体と、食器洗い機本体に設けた洗浄槽と、前記洗浄槽に設けた開口部を開閉する上扉体と下扉体とを備え、前記洗浄槽の開口部の下端側に前記上扉体と下扉体とが重なって開放されるよう構成し、前記扉体の開放時、下扉体は上扉体に対し前方に突出させる構成とした食器洗い機。
【請求項２】
上下扉体の閉塞時、上扉体に対し下扉体を上下方向に大きくし、前記扉体の開放時、下扉体は上扉体に対し前方に突出させる構成とした請求項１記載の食器洗い機。
【請求項３】
上扉体と下扉体とを略同一寸法とし、前記扉体の開放時、下扉体は上扉体に対し前方に突出させる構成とした請求項１記載の食器洗い機。
【請求項４】
扉体を開放または閉塞するときの取っ手を下扉体の端部近傍に設けた請求項１〜３のいずれか１項に記載の食器洗い機。
【請求項５】
扉体を食器洗い機本体に係止するラッチを下扉体に設けるとともに、前記ラッチは、前記扉体の開放時、下扉体が上扉体に対し前方に突出した空間に位置させた請求項１〜４のいずれか１項に記載の食器洗い機。
【発明の詳細な説明】
【０００１】
【発明の属する技術分野】
本発明は、洗浄水の噴射により食器等の洗浄を行う食器洗い機に関する。
【０００２】
【従来の技術】
従来、この種の食器洗い機は図６に示すように構成していた。以下、その構成について説明する。
【０００３】
図６に示すように、食器洗い機本体１に設けた開口部２を２個の扉体３ａ、３ｂで覆い、扉体３ａは開口部２の下部に、扉体３ｂは開口部２の中間にそれぞれ開閉自在に取りつけ、２枚前開きタイプを構成している。
【０００４】
また、図７に示すように、食器洗い機本体４に設けた開口部５を２個の扉体６ａ、６ｂで覆い、扉体６ａ、６ｂは上下方向に各々回動して開口部５を開閉するよう構成し、連動リンク７によって扉体６ａ、６ｂは連結されている。このため、一方の扉体を開放すれば、同時に他方の扉体も開放する上下開きタイプを構成している（例えば、特許文献１参照）。
【０００５】
いずれもタイプも扉体を２枚に分割することで、食器洗い機本体１または４の前方もしくは上方に設置に必要なスペースが少なくなるよう構成している。
【０００６】
食器洗い機の基本的な動作を以下に述べると、使用者が扉体３または６を開いて食器洗い機本体１または４内の洗浄槽に設置された食器かごに汚れた食器類を収容する。このとき、扉体３または６が食器洗い機本体１または４の下部に開閉自在に取り付けられているものは、扉体３または６に食器かごを洗浄槽から引き出してから食器類を収容することができる。
【０００７】
扉体３または６を閉めて運転をすると、洗浄槽の底部に配置された洗浄ノズルから洗浄水がヒータによって加熱されながら食器類に向かって噴射され、食器の汚れを落とす洗浄行程を行う。その後、食器を乾かす乾燥行程を行って運転が終了する。
【０００８】
【特許文献１】
特開昭５０−２６３５６号公報（第６頁、図２）
【０００９】
【発明が解決しようとする課題】
このような従来の構成で、図６に示すタイプのものは、扉体３が上下に分割され、上の扉体３ａが開口部２の途中にあり、収容できる食器の大きさが制限される。したがって、上の扉体３ａの下方に大きな食器類を収容可能にするためには食器洗い機本体１の大きさを大きくする必要があり、設置スペースによっては高さに大きな制限ができ、その結果、設置性が低下するという問題を有していた。
【００１０】
また、図７に示すタイプのものは、扉体６が上下に分割され、上の扉体６ａが食器洗い機本体４の上方に開くタイプであり、開口部５は大きいが食器洗い機本体４の上方にスペースが必要になるという問題を有していた。
【００１１】
本発明は上記従来の課題を解決するもので、食器洗い機本体の前方および上方のスペースを塞ぐことなく、また、食器洗い機本体の大きさを大きくすることなく収容できる食器類の大きさを確保し、設置性を向上するとともに、下扉体を操作して扉体を開閉する際の使い勝手を向上することを目的としている。
【００１２】
【課題を解決するための手段】
本発明は上記目的を達成するために、食器洗い機本体に洗浄槽を設け、洗浄槽に設けた開口部を上扉体と下扉体により開閉し、洗浄槽の開口部の下端側に上扉体と下扉体とが重なって開放されるよう構成し、扉体の開放時、下扉体は上扉体に対し前方に突出させる構成としたものである。
【００１３】
これにより、食器洗い機本体の前方および上方のスペースを塞ぐことなく、また、食器洗い機本体の大きさを大きくすることなく収容できる食器類の大きさを確保でき、かつ食器洗い機本体の上方に設置のための空間が必要でなくなることにより設置性を向上できるとともに、扉体の開放時、下扉体を上扉体に対し前方に突出させることで、下扉体を操作して扉体を開閉する際の使い勝手を向上することができる。
【００１４】
【発明の実施の形態】
本発明の請求項１に記載の発明は、食器洗い機本体と、食器洗い機本体に設けた洗浄槽と、前記洗浄槽に設けた開口部を開閉する上扉体と下扉体とを備え、前記洗浄槽の開口部の下端側に前記上扉体と下扉体とが重なって開放されるよう構成し、前記扉体の開放時、下扉体は上扉体に対し前方に突出させる構成としたものであり、食器洗い機本体の前方および上方のスペースを塞ぐことなく、また、食器洗い機本体の大きさを大きくすることなく収容できる食器類の大きさを確保でき、かつ食器洗い機本体の上方に設置のための空間が必要でなくなることにより設置性を向上できるとともに、扉体の開放時、下扉体を上扉体に対し前方に突出させることで、下扉体を操作して扉体を開閉する際の使い勝手を向上することができる。
【００１５】
請求項２に記載の発明は、上記請求項１に記載の発明において、上下扉体の閉塞時、上扉体に対し下扉体を上下方向に大きくし、前記扉体の開放時、下扉体は上扉体に対し前方に突出させる構成としたものであり、下扉体を操作して扉体を開閉する際の使い勝手を向上できるとともに、上扉体が小さいため上扉体が食器洗い機本体の上部から下部まで大きく移動する際の圧迫感をなくすことができる。
【００１６】
請求項３に記載の発明は、上記請求項１に記載の発明において、上扉体と下扉体とを略同一寸法とし、前記扉体の開放時、下扉体は上扉体に対し前方に突出させる構成としたものであり、下扉体を操作して扉体を開閉する際の使い勝手を向上できるとともに、上扉体と下扉体とは略同一寸法であるため、食器を収容する食器かごの引き出し量を大きくすることができ、食器のセット性を向上させることができる。
【００１７】
請求項４に記載の発明は、上記請求項１〜３に記載の発明において、扉体を開放または閉塞するときの取っ手を下扉体の端部近傍に設けたものであり、扉体開閉時の作業性を極めて良好にすることができる。
【００１８】
請求項５に記載の発明は、上記請求項１〜４に記載の発明において、扉体を食器洗い機本体に係止するラッチを下扉体に設けるとともに、前記ラッチは、前記扉体の開放時、下扉体が上扉体に対し前方に突出した空間に位置させたものであり、扉体開放時における上扉体と下扉体との上下方向の厚み寸法を小さくでき、コンパクトな食器洗い機を実現することができる。
【００１９】
【実施例】
以下、本発明の実施例について、図面を参照しながら説明する。
【００２０】
（実施例１）
図１に示すように、食器洗い機本体８は、内部に洗浄槽９を設けており、この洗浄槽９は、内部に食器かご１０を配置している。洗浄槽９は前方に開口部１１を有し、上扉体１２と下扉体１３により開閉するよう構成している。上扉体１２に上支持部材１４を固定し、この上支持部材１４を上固定枢軸１５で基盤部材１６に回転自在に軸支している。また、下扉体１３に下支持部材１７を固定し、この下支持部材１７を下固定枢軸１８で基盤部材１６に回転自在に軸支している。また、扉体（上扉体１２と下扉体１３）の閉塞時、上扉体１２に対し下扉体１３を上下方向に大きくしており、扉体の開放時、下扉体１３は上扉体１２に対し前方に突出させている。
【００２１】
基盤部材１６は、洗浄槽９の左右外壁面にそれぞれ固定されている。また、上支持部材１４と下支持部材１７を連動する連動手段として、連動リンク１９を設けており、それぞれ上リンク枢軸２０、下リンク枢軸２１で上支持部材１４と下支持部材１７に軸支し、上扉体１２と下扉体１３が開閉動作中に互いに接触しないようにしている。また、基盤部材１６および上支持部材１４、下支持部材１７は洗浄槽９の左右両側に設けている。
【００２２】
また、上固定枢軸１５は、上扉体１２が回動し内面側が上方に、かつ、水平になるときに洗浄槽９の開口部１１より下方になるよう洗浄槽９の開口部１１より上方に配置している。下固定枢軸１７は、扉体の開放時に、図２に示すように、下扉体１３が内面側を上方にして、上扉体１２の下方に重なり合うように、開放時の上扉体１２より下方に配置している。
【００２３】
また、基盤部材１６には、上扉体１２の内面側が扉体の開放状態で洗浄槽９内に設けた洗浄槽９の開口部１１より下方になるようストッパー部２２を設けている。
【００２４】
また、上扉体１２の下端には、扉の開放状態で食器かご１０の前方下端に近接するガイド部２３を設け、上部に蒸気を排出する排気口２４を設けている。
【００２５】
また、下扉体１３および上扉体１２と開口部１１のシール、および下扉体１３、上扉体１２間のシールには弾性体を有するシール部材（図示せず）を設置している。
【００２６】
取っ手２５は、扉体を開放または閉塞するとき操作するもので、下扉体１３の上部端部近傍に設けている。ラッチ２６は扉体を食器洗い機本体８に係止するもので、下扉体１２に設けるとともに、ラッチ２６は、扉体の開放時、下扉体１２が上扉体１３に対し前方に突出した空間に設けている。
【００２７】
上記構成において作用を説明すると、上扉体１２と下扉体１３はそれぞれ、上支持部材１４、下支持部材１７によって、ともに下方に開閉する構成であり、上固定枢軸１５および下固定枢軸１８の回動によって上扉体１２および下扉体１３はともに、内面側を上方に向け、洗浄槽９の開口部１１より下方に回動する。
【００２８】
この際、上扉体１２、下扉体１３がともに下方に開閉するため、食器洗い機本体８の上方の設置スペースが必要なくなるため、図３に示すように、吊り戸棚２７の高さへの制限がなくなるため設置性を向上することができる。また、食器洗い機本体８の天面強度によっては、ものを置くなどの有効利用が可能である。
【００２９】
また、食器洗い機本体８の前方は、従来の１枚で構成した扉体に必要とした半分の設置スペースで済む。したがって、図３に示すように、シンク２８に横向きに設置してもシンク２８を塞ぐのを少なくすることができる。
【００３０】
また、上扉体１２、下扉体１３は、開放時にともに開口部１１より下方になるため、開口部１１が大きくなり、開口部１１とほぼ同じ大きさの食器類を収容することができ、従来の、上扉体が開口部の中間になるものと比較して、収容できる食器類の大きさを確保しつつ、食器洗い機本体８の大きさを小さくすることができるため、設置性を向上することができる。
【００３１】
また、上下扉体の開放時、下扉体１３は上扉体１２に対し前方に突出させる構成としているため、下扉体１３を操作して扉体を開閉する際の使い勝手がよくなるとともに、上扉体１２が小さいため上扉体１２が食器洗い機本体８の上部から下部まで大きく移動する際の圧迫感をなくすことができる。
【００３２】
また、取っ手２５は下扉体１３の端部近傍に設けているため、扉体開閉時の作業性をきわめて良好にすることができる。
【００３３】
また、ラッチ２６は、扉体の開放時、下扉体１３が上扉体１３に対し前方に突出した空間に位置させたものであり、扉体開放時における上扉体１３と下扉体１２との上下方向の厚み寸法を小さくでき、下扉体１２から下部の寸法を小さくすることができ、コンパクトな食器洗い機を実現することができる。
【００３４】
（実施例２）
図４に示すように、上扉体２９と下扉体３０は、洗浄槽９の前方の開口部１１を開閉するよう構成し、上扉体２９と下扉体３０は略同一寸法とし、図５に示すように、扉体（上扉体２９と下扉体３０）の開放時、下扉体３０は上扉体２９に対し前方に突出させる構成としている。具体的には、下扉体３０の開放軌跡を決める下固定枢軸１８を食器洗い機本体８の前方に設けことにより実現している。他の構成は上記実施例１と同じであり、同一符号を付して説明を省略する。
【００３５】
これにより、下扉体３０を操作して扉体を開閉する際の使い勝手がよくなるとともに、上扉体２９と下扉体３０とは略同一寸法であるため、食器を収容する食器かご１０の引き出し量を大きくすることができ、食器のセット性を向上することができる。
【００３６】
【発明の効果】
以上のように、本発明の請求項１に記載の発明によれば、洗浄槽の開口部の下端側に上扉体と下扉体とが重なって開放されるよう構成し、扉体の開放時、下扉体は上扉体に対し前方に突出させる構成としたことにより、食器洗い機本体の前方および上方のスペースを塞ぐことなく、また、食器洗い機本体の大きさを大きくすることなく収容できる食器類の大きさを確保でき、かつ食器洗い機本体の上方に設置のための空間が必要でなくなることにより設置性を向上できるとともに、扉体の開放時、下扉体を上扉体に対し前方に突出させることで、下扉体を操作して扉体を開閉する際の使い勝手を向上することができる。
【図面の簡単な説明】
【図１】本発明の第１の実施例の食器洗い機の扉体の閉成状態の断面図
【図２】同食器洗い機の扉体の開成状態の断面図
【図３】同食器洗い機の設置状態を示す断面図
【図４】本発明の第２の実施例の食器洗い機の扉体の閉成状態の断面図
【図５】同食器洗い機の扉体の開成状態の断面図
【図６】従来の食器洗い機の一例の扉体の開成状態の断面図
【図７】従来の食器洗い機の他の例の扉体の開成状態の一部切欠した側面図
【符号の説明】
８　食器洗い機本体
９　洗浄槽
１１　開口部
１２　上扉体
１３　下扉体
【図１】
2004105272.tif 000003
【図２】
2004105272.tif 000004
【図３】
2004105272.tif 000005
【図４】
2004105272.tif 000006
【図５】
2004105272.tif 000007
【図６】
2004105272.tif 000008
【図７】
2004105272.tif 000009